(57)【要約】  移動救急病院（３０）は、第１の車輪付きトレーラ（３４）と、第１の車輪付きトレーラと並んで駐車した第２の車輪付きトレーラ（３２）から構成され、第１および第２の車輪付きトレーラ（３４，３２）は、隣接する側壁（５４，５２）が互いに対向するように配置されている。第１および第２の車輪付きトレーラ（３４，３２）は、それぞれ、救急病院の第１および第２の部分と関連した患者治療設備を有する。２台のトレーラ（３４，３２）の隣接する側壁（５４，５２）は、介護者が２台のトレーラ（３４，３２）間を行き来するための１つ以上の通路（７４）を形成すべく、互いの位置が概ね揃った開口（７２，７０）を有する。第１のトレーラ（３４）は、非隣接側壁（５２）に沿って並んだ複数の壁ユニット（９０）を備えてよい。このような壁ユニット（９０）はそれぞれ、複数のサービスコネクタ（９２）および展開式ベッド（９４）を備えてよい。トレーラ（３４，３２）は、床面積を増やすために拡張可能部分（２３２，２３４）を備えてよい。
2008501424.tif 000002
【特許請求の範囲】
【請求項１】
移動救急病院であって、
前記移動救急病院の第１の部分と関連した患者治療設備を有する第１の車輪付きトレーラと、
隣接する側壁が互いに対向するように、前記第１の車輪付きトレーラと並んで駐車した第２の車輪付きトレーラと
を備える移動救急病院において、
前記第２の車輪付きトレーラが前記移動救急病院の第２の部分と関連した患者治療設備を有し、
前記第１および第２の車輪付きトレーラの前記隣接する側壁は、介護者が該第１および第２の車輪付きトレーラ間を行き来するための１つ以上の通路を形成すべく、互いの位置が概ね揃った開口を有する移動救急病院。
【請求項２】
前記第１の車輪付きトレーラが、複数のサービスコネクタおよび１つの患者用展開式ベッドを備える少なくとも１つの壁ユニットを有する患者治療トレーラを構成し、前記展開式ベッドは持上げ収納位置と下げ使用位置との間を移動可能なデッキを備える請求項１に記載の移動救急病院。
【請求項３】
前記複数のサービスコネクタは、前記デッキが前記収納位置にあるときに該デッキの後ろに隠れる請求項２に記載の移動救急病院。
【請求項４】
前記少なくとも１つの壁ユニットは、前記患者治療トレーラの非隣接側壁に沿って配置された複数の壁ユニットを備え、該各壁ユニットは複数のサービスコネクタと、持上げ収納位置と下げ使用位置との間を移動可能なデッキとを有する展開式ベッドを備える請求項２に記載の移動救急病院。
【請求項５】
前記複数のサービスコネクタが、以下の、電気供給用電源コンセント、医療ガス供給用医療ガスアウトレット、真空供給用陰圧アウトレットおよびデータ送受信用通信ポートのうちいずれか１つ以上を含む請求項２に記載の移動救急病院。
【請求項６】
前記患者治療トレーラが、以下の、照明モジュール、患者監視装置モジュール、機器監視装置モジュール、コンピュータモジュール、折りたたみ棚モジュール、折りたたみ椅子モジュール、オーバテーブルモジュール、ごみ箱モジュール、医療用ごみ箱モジュール、時計モジュール、診察用照明モジュール、ビューボックスモジュール、収納モジュール、備品モジュール、緊急用カートモジュール、自動薬物調剤モジュール、消火器モジュール、洗面台モジュール、備品収納庫モジュール、収納庫モジュール、および耳検眼鏡モジュールのうちいずれか１つ以上を含む請求項２に記載の移動救急病院。
【請求項７】
前記第２の車輪付きトレーラが、以下の、照明モジュール、廊下モジュール、トリアージモジュール、ナースステーションモジュール、作業台モジュール、折りたたみ棚モジュール、折りたたみ椅子モジュール、患者用トイレモジュール、洗面台モジュール、シャワーモジュール、患者記録モジュール、備品収納庫モジュール、収納庫モジュール、ごみ箱モジュール、医療用ごみ箱モジュール、消火器モジュール、傾斜路モジュール、扉モジュールおよび階段モジュールをいずれか１つ以上有する作業場トレーラを備える請求項２に記載の移動救急病院。
【請求項８】
該移動救急病院は、前記作業場トレーラの前記患者治療トレーラと反対側に、前記作業場トレーラと並んで駐車した第２の患者治療トレーラをさらに備え、
前記作業場トレーラと前記第２の患者治療トレーラの隣接する側壁同士は、介護者が該トレーラ間を行き来するための１つ以上の通路を形成すべく、互いの位置が概ね揃った開口を有し、
前記第２の患者治療トレーラは、前記第２の患者治療トレーラの非隣接側壁に沿う複数の壁ユニットを有し、
前記第２の患者治療トレーラの該各壁ユニットは、複数のサービスコネクタおよび１つの患者用展開式ベッドを備え、
該各展開式ベッドは持上げ収納位置と下げ使用位置との間を移動可能なデッキを備える請求項７に記載の移動救急病院。
【請求項９】
該移動救急病院は、前記患者治療トレーラと前記作業場トレーラとに隣接して駐車したユーティリティ供給トレーラをさらに備え、
前記ユーティリティ供給トレーラは、以下の、電力供給設備、医療用ガス供給設備、真空供給設備、洗面台モジュール、トイレモジュールおよびデータ送受信設備のうちいずれか１つ以上を備える請求項７記載の移動救急病院。
【請求項１０】
前記ユーティリティ供給トレーラ内に配置されている前記設備から前記患者治療トレーラ内の関連するサービスコネクタまで延びる複数のサービス配線および導管をさらに備えている請求項９記載の移動救急病院。
【請求項１１】
前記サービス配線および導管は、部分的に、以下の、前記各トレーラの天井、床および壁のうちいずれか１つ以上を通って配管されている請求項１０に記載の移動救急病院。
【請求項１２】
該移動救急病院は、前記患者治療トレーラと前記作業場トレーラとに隣接して駐車した診断所トレーラをさらに備え、
前記診断所トレーラが、以下の、診断装置、撮像装置、検査機器、洗面台モジュール、トイレモジュールおよび担架収納庫のうちいずれか１つ以上を備える請求項７に記載の移動救急病院。
【請求項１３】
前記各トレーラが内部空間を画定する一対の端壁および前記端壁間に延在する一対の側壁を有し、前記トレーラのうち少なくとも１台の側壁の少なくとも１つが開放可能である請求項１に記載の移動救急病院。
【請求項１４】
前記少なくとも１台のトレーラが少なくとも１つの拡張可能部分を有し、前記少なくとも１つの拡張可能部分の内側壁が前記少なくとも１台のトレーラの前記内部空間に対して開く請求項１３に記載の移動救急病院。
【請求項１５】
前記少なくとも１台のトレーラの前記開放可能な側壁は前記少なくとも１つの拡張可能部分の外壁である請求項１４に記載の移動救急病院。
【請求項１６】
前記少なくとも１つの拡張可能部分はスライドアウトルームである請求項１５に記載の移動救急病院。
【請求項１７】
前記少なくとも１台のトレーラは幅約８フィート（２．４４メートル）、長さ約４８フィート（１４．６３メートル）であり、前記スライドアウトルームは幅約４フィート（１．２２メートル）、長さ約４４フィート（１３．４１メートル）である請求項１６に記載の移動救急病院。
【請求項１８】
前記各トレーラは幅約８フィート（２．４４メートル）、長さ約４８フィート（１４．６３メートル）である請求項１に記載の移動救急病院。
【請求項１９】
移動救急病院であって、
前記移動救急病院の第１の部分と関連した患者治療設備を有する第１の車輪付きトレーラと、
隣接する側壁が互いに対向するように、前記第１の車輪付きトレーラの第１の側に並んで駐車した第２の車輪付きトレーラと、
隣接する側壁が互いに対向するように、前記第１の車輪付きトレーラの第２の側に並んで駐車した第３の車輪付きトレーラと
を備え、
前記第２および第３の車輪付トレーラが前記移動救急病院の第２の部分と関連した患者治療設備を有し、
前記第１および第２の車輪付トレーラの前記隣接する側壁は、介護者が該第１および第２の車輪付きトレーラ間を行き来するための通路を形成すべく、互いの位置が概ね揃った開口を有し、
前記第１および第３の車輪付トレーラの前記隣接する側壁は、介護者が該第１および第３の車輪付きトレーラ間を行き来するための通路を形成すべく、互いの位置が概ね揃った開口を有する移動救急病院。
【請求項２０】
複数のサービスコネクタおよび１つの患者用展開式ベッドを有する少なくとも１つの壁ユニットを備える患者治療トレーラを備え、前記展開式ベッドが持上げ収納位置と下げ使用位置との間を移動可能なデッキを備えている移動救急病院。
【請求項２１】
患者治療設備を収容する内部空間を画定する２つ以上の端壁および前記端壁間に延在する２つ以上の側壁を有する車輪付きトレーラを備え、前記車輪付トレーラの前記側壁のうち少なくとも１つが拡張可能部分を有している移動救急病院。
【発明の詳細な説明】
【技術分野】
【０００１】
本発明は、移動救急病院に関し、特にトレーラ、例えば、トラクタ／トレーラ車に使用されている、牽引トラックに連結されるトレーラに収容された移動救急病院に関する。
【背景技術】
【０００２】
例えば、ハリケーン、洪水、地震等の被災地では、被災者を緊急度や重傷度に応じて分け、さらに、被災者の容態を安定させ、また、適切な施設への搬送中に負傷がそれ以上ひどくなる可能性を無くすべく応急処置を行うために移動救急病院をすばやく設置することが望ましい。
【０００３】
《関連出願の相互参照》
本出願は、２００４年６月３日付で出願した米国仮特許出願第６０／５７６８６７号明細書、２００４年６月３日日付で出願した米国仮特許出願第６０／５７６８６８号明細書および２００４年９月３日日付で出願した米国仮特許出願第６０／６０７１９８号明細書の利益を主張する通常の特許出願であり、これら全ての開示を本明細書に援用する。
【発明の開示】
【課題を解決するための手段】
【０００４】
本発明は、単独でまたは組合せで特許性のある事項を構成する下記の複数の特徴のうち１つ以上又はそれらの組合せを有する装置を含む。
【０００５】
移動救急病院は、第１の車輪付きトレーラと、隣接する側壁が互いに対向するように該第１のトレーラと並んで駐車した第２の車輪付きトレーラとを備えてよい。第１および第２のトレーラは、救急病院の第１および第２部分に対応した患者治療設備を有してよい。第１および第２のトレーラの隣接する側壁は、介護者がこれら２つのトレーラ間を行き来するための１つ以上の通路を形成すべく、互いの位置が概ね揃った開口を有してよい。
【０００６】
第１のトレーラは、複数のサービスコネクタおよび患者用展開式ベッドを含んだ少なくとも１つの壁ユニットを有する患者治療トレーラを構成する場合がある。展開式ベッドは、例えば、持上げた収納位置と下げた使用位置との間で移動可能なデッキ（deck）を含む。サービスコネクタは、例えば、デッキが収納位置にあるときはデッキの後ろに隠れる。
【０００７】
該少なくとも１つの壁ユニットは、患者治療トレーラの非隣接側壁に沿って並べられた複数の壁ユニットから成る場合がある。このような壁ユニットはそれぞれ、複数のサービスコネクタおよび１つの展開式ベッドを備えることもできる。第１のトレーラの非隣接側とは、第１のトレーラの、第２のトレーラに隣接する側と反対の側を意味する。
【０００８】
該複数のサービスコネクタは、以下の、電気供給用電源コンセント、医療ガス（例えば、酸素、窒素および空気等のうち１つ以上）供給用医療ガスアウトレット、減圧用陰圧アウトレットおよびデータ（例えば、情報データ、音声データおよびビデオデータ等のうち１つ以上）送受信用通信ポートのうち１つ以上を含んでよい。
【０００９】
該患者治療トレーラは、以下の、患者診察用照明、読書灯、患者監視装置、機器監視装置、コンピュータ、折りたたみ棚、折りたたみ椅子、オーバテーブル、ごみ箱、医療用ごみ箱、時計、ビューボックス、収納庫、引き出し、緊急用カート、自動薬物調剤ステーション、消火器、洗面台モジュールおよび耳鏡・検眼鏡のうち１つ以上を備えてよい。
【００１０】
第２のトレーラは、トリアージおよび調整区画、また患者治療区画への廊下として機能する作業場トレーラを構成する場合がある。第２のトレーラは、以下の、ナースステーション、作業台、折りたたみ棚、折りたたみ椅子、患者用トイレ、洗面台ユニット、シャワー、患者記録所、備品収納庫、引き出し、ごみ箱、医療用ごみ箱、消火器、担架用傾斜路、扉およびスタッフ用階段のうち１つ以上を含んでよい。
【００１１】
該救急病院は、作業場トレーラの側面のうち、最初に述べた患者治療トレーラと反対側に、作業場トレーラと並んで駐車した第２の患者治療トレーラをさらに備える場合がある。作業場トレーラと第２の患者治療トレーラの隣接する側壁は、介護者が作業場トレーラと第２の患者治療トレーラ間を行き来するための１つ以上の通路を形成すべく、互いの位置が概ね揃った開口を有する場合がある。第２の患者治療トレーラは、その側壁のうち非隣接側壁に沿う複数の壁ユニットを有することもできる。第２の患者治療トレーラのこのような壁ユニットはそれぞれ、複数のサービスコネクタおよび１つの患者用展開式ベッドを備えることもできる。
【００１２】
該救急病院は、患者治療トレーラと作業場トレーラに隣接して駐車したユーティリティ供給トレーラをさらに備えてよい。ユーティリティ供給トレーラは、以下の、電力供給設備、医療用ガス（例えば、酸素、窒素および空気等のうちいずれか１つ以上）供給設備、真空供給設備、洗面台ユニット、およびトイレのうち１つ以上を備えてよい。ユーティリティ供給トレーラは、さらに、視聴覚データ送受信設備を備えることもできる。例として、複数のサービス配管が、ユーティリティ供給トレーラ内に設置されている装置から、該患者治療トレーラおよび作業場トレーラ内の関連するサービスコネクタへ延びる。サービス配管は部分的に、各トレーラの天井、床および壁のうちいずれか１つ以上を通って配管することもできる。
【００１３】
該救急病院は、患者治療トレーラおよび作業場トレーラと並んで駐車した診断所トレーラをさらに備えてよい。該診断所トレーラは、以下の、診断装置、撮像装置、検査機器、洗面台ユニット、トイレおよび担架収納庫をうちいずれか１つ以上を備えることができる。
【００１４】
例えば、各トレーラは患者治療設備を収容する内部空間を画定する一対の端壁および、これら端壁間に延在する一対の側壁を有する。少なくとも１台のトレーラは、床面積を拡大できるような部分を含んでもよい。この拡張可能な部分は、スライドアウトルームを構成することができる。例として、各トレーラは幅約８フィート（約２．４４メートル）、長さ約４８フィート（約１４．６４メートル）で、スライドアウトルームは幅約４フィート（約１．２２メートル）、長さ約４４フィート（約１３．４２メートル）である。
【００１５】
また、本発明によれば、移動救急病院は、救急病院の第１の部分に関連した患者治療設備を有する第１のトレーラ車を備えてよい。第２のトレーラ車を、第１および第２のトレーラの隣接する側壁が互いに対向するように、第１のトレーラの第１の側に並んで駐車することができる。第３のトレーラ車を、第１および第３のトレーラの隣接する側壁が互いに対向するように、第１のトレーラの第２の側に並んで駐車することができる。第２および第３のトレーラは、救急病院の第２の部分に関連した患者治療設備を有することができる。第１および第２のトレーラの隣接する側壁は、介護者が第１および第２のトレーラ間を行き来するための１つ以上の通路を形成すべく、互いの位置が概ね揃った開口を有してよい。第１および第３のトレーラの隣接する側壁は、介護者が第１および第３のトレーラ間を行き来するための１つ以上の通路を形成すべく、互いの位置が概ね揃った開口を有してよい。
【００１６】
該移動救急病院は、患者治療設備を収容する内部空間を画定する２つ以上の端壁および、これら端壁間に延在する２つ以上の側壁を有するトレーラを備えてよい。該トレーラの少なくとも１つの側壁は、スライドアウトルーム等の拡張可能な部分を有することができる。
【００１７】
上記以外の特徴が、単独または前述および添付の請求の範囲に記載された特徴と組み合わせて、特許性のある事項を構成する可能性があり、現時点での最良の形態である以下の実施形態の詳細な説明を考慮することにより、当業者に明らかになるであろう。
【発明を実施するための最良の形態】
【００１８】
図１は、第１の作業場トレーラ３２と、隣接する側壁５２、５４同士が互いに対向するように第１の作業場トレーラ３２の左側４２に並んで駐車している第２の患者治療トレーラ３４と、隣接する側壁５４、５２同士が互いに対向するように第１の作業場トレーラ３２の右側４４に並んで駐車している第３の患者治療トレーラ３６とからなる移動救急病院の第１の実施形態３０を示す。トレーラ３２、３４および３２、３６の隣接する側壁は、介護者が各トレーラ３２、３４、３６間を行き来するための通路７４を含むように形成されている。作業場トレーラ３２の左右４２、４４にある患者治療トレーラ３４、３６は、本明細書内でそれぞれ、左および右患者治療トレーラ３４、３６と称する。作業場トレーラおよび患者治療トレーラ３２、３４、３６の近くには、第４のユーティリティ供給トレーラ３８および第５の診断所トレーラ４０が駐車している。ユーティリティ供給トレーラ３８はユーティリティを供給し、診断所トレーラ４０は、作業場および患者治療トレーラ３２、３４、３６用の診断装置を備えている。ユーティリティ供給および診断所トレーラ３８、４０があるため、移動救急病院３０は自足できる。トレーラ３２、３４、３６、３８、４０の後部４８には、地面まで下りる格納式階段および／または傾斜路付き扉が設けられている。トレーラ３２、３４、３６、３８、４０は、州間ハイウェイで見かける商業トラクタ／トレーラ車に使用されている種類であり、適用される規制に準拠している。別の実施形態では、海外輸送用の貨物専用コンテナを利用する。実施形態によっては、着脱可能な車輪付き又は無しコンテナを使用する。さらに別の実施形態では、他国で使用されているトレーラをも含む。
【００１９】
被災者のトリアージおよび緊急事態の初期対応のために、トレーラ３２、３４、３６、３８、４０を関係牽引トラック１０２に掛止して、例えば、ハリケーン、洪水、森林火災、地震等の被災地へ行くことができる。緊急事態の初期対応とは、被災者の容態を安定させ、適切な施設への搬送中に負傷がそれ以上ひどくなる可能性を最小限にするための治療を行うことである。場合により患者治療トレーラ３４、３６は、被災者を避難させるための大型救急車としての役割を果たす。図２１に示すように、移動救急病院３０は病院の救急診療部のそばにある駐車場に配置して、救急診療部の収容能力を短期的に拡大することができる。
【００２０】
トレーラの後部に立ってトレーラの前方を見ると、各トレーラは左側４２、右側４４、前端４６および、後端４８を有する。同様に、各トレーラは、救急病院３０の関係部分と関連した患者治療設備を収容する内部空間６４を画定する、左側壁５２、右側壁５４、前端壁５６、後端壁５８、天井および床を有する。各トレーラの寸法は、例えば、１）幅約８フィート（約２．４４メートル）、高さ約９フィート（約２．７４メートル）および長さ約４８フィート（約１４．６４メートル）の内部空間と、２）トレーラの外幅約８．５フィート（約２．５９メートル）、３）路面からのトレーラの全高約１３フィート（約３．９６メートル）、４）路面からトレーラ床面までの高さ約３フィート（約０．９１メートル）となっている。
【００２１】
図１を参照すると、作業場トレーラ３２の左側壁５２、および左患者治療トレーラ３４の右側壁５４は、介護者が各トレーラ３２、３４間を行き来するための通路７４を形成すべく、互いの位置が概ね揃った開口７０、７２をそれぞれ有する。作業場トレーラ３２の右側壁５４、および右側患者治療トレーラ３６の左側壁５２は、介護者が各トレーラ３２、３６間を行き来するための通路７４を形成すべく、互いの位置が概ね揃った開口７０、７２をそれぞれ有する。移動中、通路７４は、例えば、引き上げドア（車庫扉のように）または、引き戸あるいは、開き戸等の扉（図示せず）で閉ざされる。作業場トレーラ３２は、トリアージおよび管理所７６を含む。通路７４は、患者治療トレーラ３４、３６の患者治療区画７８までつながっている。作業場トレーラ３２は、その後部４８に一対の開き戸８２、格納式担架用傾斜路８４および格納式関係者用階段８６を含む。傾斜路８４には、路面から３０°の勾配がついている。
【００２２】
作業場トレーラ３２の左側壁５２および左患者治療トレーラ３４の右側壁５４は、本明細書内で「隣接する」または「対向する」側壁と称する。同様に、作業場トレーラ３２の右側壁５４および右患者治療トレーラ３６の左側壁５２も、本明細書内では「隣接する」または「対向する」側壁と称する。トレーラ３２、３４、３６の隣接する側壁は、連結されない場合がある。別のケースでは、トレーラ３２、３４、３６の隣接する側壁は適切な連結機構で連結されてもよい。トレーラ３２、３４、３６の壁は、互いに接してもまたは、間に空間を有してすぐ近くにあっても、隣接または対向するとみなされる。トレーラ３２、３４、３６の床面間のずれを調整するために隣接するトレーラ３２、３４、３６間の通路７４に、例えば、マット等のつなぎ材（図示せず）を利用することもできる。
【００２３】
左患者治療トレーラ３４は、左側壁５２に沿って複数の壁ユニット９０を有する。右患者治療トレーラ３６は、右側壁５４に沿って複数の壁ユニット９０を有する。各壁ユニット９０は、複数のサービスコネクタ９２と展開式ベッド９４を含んでいる。図４に示す通り、各展開式ベッド９４は、持上げた収納または閉じた位置と下げた使用あるいは開いた位置との間で移動可能なデッキを含む。マットレスパッド（図示せず）は、例えばベルクロテープ等の適切な留め具でデッキ９６に解放可能に取付けられている。サービスコネクタ９２は、例えば、デッキ９６が収納位置にあるときはデッキ９６の後ろに隠れる。サービスコネクタ９２は、以下の、電気供給用電源コンセント、医療ガス（例えば、酸素、窒素および空気等いずれか１つ以上）供給用医療ガスアウトレット、減圧用陰圧アウトレットおよびデータ（例えば、情報データ、音声データおよびビデオデータ等いずれか１つ以上）送受信用通信ポートをいずれか１つ以上含む。このような展開式ベッドは、PCT／US2005／xxxxxx（attorney docket no. 7175-77999）に開示されており、その内容を参照によって本願明細書に援用する。
【００２４】
実施形態によっては、患者治療区画７８の周りにプライバシーカーテン（図示せず）を設けてもよい。米国建築家協会（“AIA”）の病院および医療施設設計施工指針では、緊急事態の初期対応にはベッド当たり８０平方フィート（７．４３平方メートル）の空き床面積が必要とされている。図示の実施形態において、各区画７８は幅約８フィート（２．４４メートル）長さ約１２フィート（３．６５７６メートル）であり、ベッド９４当たり約９６平方フィート（８．９２平方メートル）の空き床面を供しており、これはAIAの緊急時初期対応指針を上回っている。
【００２５】
ユーティリティ供給トレーラ３８は、電力、医療用ガスおよび真空を供給する設備（図示せず）のための場所９８を備える。診断所トレーラ４０は、診断装置、撮像装置、検査機器（いずれも図示せず）のための場所１００を備える。各トレーラ３８、４０は、以下の、担架用傾斜路８４、関係者用階段８６、パワーリフト（図示せず）等をいずれか１つ以上の含む場合がある。前述のとおり、被災者のトリアージおよび緊急事態の初期対応のために、各トレーラ３２、３４、３６、３８、４０を牽引トラック１０２に掛止して災害地へ移動することができる。
【００２６】
図２から図１７は、移動救急病院３０の第２の実施形態を示す。２つの実施形態における類似の要素には、概ね同様の符号を付している。したがって、第２の実施形態において、１３０は救急病院を示し、１３２、１３４、１３６は作業場および患者治療トレーラを示す。トレーラ１３２、１３４、１３６が壁モジュールシステム２００、３００、３１０（それぞれ図４、図５および図６に示す）を使用することと、トレーラ１３２、１３４、１３６が部屋を拡張するためのスライドアウトルーム２３２、２３４、２３６（図２に例示する）をトレーラ１３２、１３４、１３６の片側あるいは両側に備えていることを除けば、移動救急病院１３０は第１の実施形態３０と類似している。本明細書内では、スライドアウトルーム２３２、２３４、２３６を拡張可能部分２３２、２３４、２３６とも呼ぶ。本明細書内で「スライドアウトルーム」という用語は、一般的に、拡張使用位置と引込収納位置間を移動可能なようにトレーラに連結された区画という意味で使用している。これらのスライドアウトルームは、駆動機構を用いて連結されたトレーラに対して動けるようにレール、玉軸受け、転がり軸受け、油圧式軸受け、空気軸受け等に取り付けることもできる。スライドアウトルーム２３２、２３４、２３６は、米国特許第６４９７４４２号明細書、米国特許第６４２８０７３号明細書、米国特許第６２０９９３９号明細書および米国特許第５８００００２号明細書に開示されている種類のものであってもよい。これらの特許を本願明細書に援用する。
【００２７】
図２に示すように、移動救急病院１３０は作業場トレーラ１３２、作業場トレーラ１３２の左側１４２に駐車した第１の患者治療トレーラ１３４、および、作業場トレーラ１３２の右側１４４に駐車した第２の患者治療トレーラ１３６を備えている。図１４に示すように、ユーティリティ供給および診断所トレーラ１３８、１４０が作業場および患者治療トレーラ１３２、１３４、１３６の近くに駐車している。作業場トレーラ１３２はスライドアウトルーム２３２をその両側１４２、１４４に１つずつ有する。作業場トレーラ１３２の左側１４２に駐車した患者治療トレーラ１３４は、その右側１４４にスライドアウトルーム２３４を有する。作業場トレーラ１３２の右側１４４に駐車した患者治療トレーラ１３６は、その左側１４２にスライドアウトルーム２３６を有する。各スライドアウトルーム２３２、２３４、２３６は、トレーラ１３２とスライドアウトルーム２３２間、トレーラ１３４とスライドアウトルーム２３４間およびトレーラ１３６とスライドアウトルーム２３６間の連続した床スペースを提供するために、トレーラ１３２、１３４、１３６の内部空間と連通する空の内部側を有する。
【００２８】
作業場トレーラ１３２の左および右側１４２、１４４に駐車した患者治療トレーラ１３４、１３６は、以下においてそれぞれ、左および右患者治療トレーラ１３４、１３６と呼ぶ。トレーラの左側にあるスライドアウトルームは、以下、左スライドアウトルームと呼ぶ。トレーラの右側にあるスライドアウトルームは、以下、右スライドアウトルームと呼ぶ。各トレーラ１３２、１３４、１３６、１３８および１４０の内部空間は、例えば、幅約８フィート（約２．４４メートル）、高さ約９フィート（約２．７４メートル）、長さ約４８フィート（約１４．６４メートル）で、各スライドアウトルーム２３２、２３４、２３６および２４０は、幅約４フィート（約１．２２メートル）、高さ約８フィート（約２．４４メートル）、長さ約４４フィート（約１３．４２メートル）である。
【００２９】
作業場トレーラ１３２の左側壁１５２は、部屋受容開口２３１を有し、左スライドアウトルーム２３２は、開口２３１を通って拡張使用位置および引込収納位置間を移動できるようにトレーラ１３２に連結している。作業場トレーラ１３２の右側壁１５４は、部屋受容開口２３１を有し、右スライドアウトルーム２３２は、開口２３１を通って拡張使用位置および引込収納位置間で移動できるようにトレーラ１３２に連結している。図２および図３に示すように、左患者治療トレーラ１３４の右側壁１５４は、部屋受容開口２３３を有し、右スライドアウトルーム２３４は、開口２３３を通って拡張使用位置および引込収納位置間で移動できるようにトレーラ１３４に連結している。図２に示すように、右側患者治療トレーラ１３６の左側壁１５２は、部屋受容開口２３５を有し、左スライドアウトルーム２３６は、開口２３５を通って拡張使用位置および引込収納位置間で移動できるようにトレーラ１３６に連結している。スライドアウトルーム２３２、２３４、２３５の拡張使用位置および引込収納位置は、それぞれ、展開位置および折り畳位置と呼ばれることもある。
【００３０】
スライドアウトルーム２３２、２３４、２３６は、患者、介護者および患者治療設備に拡張された内部空間を提供するが、拡張使用位置および引込収納位置のいずれにおいても頑丈で安定している。引っ込めて、各トレーラ１３２、１３４、１３６の室内に納めた場合、スライドアウトルーム２３２、２３４、２３６の外面はトレーラ１３２、１３４、１３６の外面と概ね同一平面上にある。したがって、スライドアウトルーム２３２、２３４、２３６はトレーラ１３２、１３４、１３６の路上走行の邪魔となるような突出部を有さない。スライドアウトルーム２３２、２３４、２３６は、走行中、それぞれトレーラ１３２、１３４、１３６の内部空間内に引っ込められている。また、トレーラ１３２、１３４、１３６を比較的狭い場所に駐車している場合、スライドアウトルーム２３２、２３４、２３６は各トレーラ１３２、１３４、１３６の内部空間内に引っ込められている。
【００３１】
本開示は、スライドアウトルーム２３２、２３４、２３６を各トレーラ１３２、１３４、１３６に対して動かす全てのタイプの駆動機構を考慮している。このような機構には、例えば、スライドアウトルーム２３２、２３４、２３６に直接作用するかあるいは、スライドアウトルーム２３２、２３４、２３６をそれぞれトレーラ１３２、１３４、１３６に対して動かすための種々の連結システムを介して作用する油圧作動装置または電気機械式作動装置を含んでよい。移動中、スライドアウトルーム２３２、２３４、２３６を支持および案内するためのレール・ローラ機構、直線ベアリング機構、入れ子式案内柱等が設けられる場合がある。また、スライドアウトルーム２３２、２３４、２３６をそれぞれ拡張位置および引込位置において関連するトレーラ１３２、１３４、１３６に係止するためのさまざまな係止機構を設けてもよい。前述のとおり、米国特許第６４９７４４２号、第６４２８０７３号、第６２０９９３９号、及び第５８００００２号明細書に、スライドアウトルーム２３２、２３４、２３６の例が開示されている。
【００３２】
作業場トレーラ１３２の左側１４２にあるスライドアウトルーム２３２は、外側壁２５２、前端壁２５６、後端壁２５８、天井および床を有する。作業場トレーラ１３２の右側１４４にあるスライドアウトルーム２３２は、外側壁２５４、前端壁２５６、後端壁２５８、天井および床を有する。図２および図３に示すとおり、左患者治療トレーラ１３４の右側１４４にあるスライドアウトルーム２３４は、外側壁２５４、前端壁２５６、後端壁２５８、天井および床を有する。図２および図８に示すとおり、右患者治療トレーラ１３６の左側１４２にあるスライドアウトルーム２３４は、外側壁２５２、前端壁２５６、後端壁２５８、天井および床を有する。
【００３３】
図２に示すとおり、左患者治療トレーラ１３４は、左患者治療トレーラ１３４の右スライドアウトルーム２３４の右側壁２５４と作業場トレーラ１３２の左スライドアウトルーム２３２の左側壁２５２が互いに対向するように、作業場トレーラ１３２の左側１４２に駐車している。左患者治療トレーラ１３４の右スライドアウトルーム２３４の右側壁２５４、および作業場トレーラ１３２の左スライドアウトルーム２３２の左側壁２５２は、介護者が各トレーラ１３２、１３４間を行き来するための通路２７４を形成すべく、互いの位置が概ね揃った開口２７２、２７０をそれぞれ有する。左患者治療トレーラ１３４の右スライドアウトルーム２３４の右側壁２５４、および作業場トレーラ１３２の左スライドアウトルーム２３２の左側壁２５２も本明細書内では隣接する壁と称する。
【００３４】
右患者治療トレーラ１３６は、右患者治療トレーラ１３６の左スライドアウトルーム２３６の左側壁２５２と作業場トレーラ１３２の右スライドアウトルーム２３２の右側壁２５４が互いに対向するように、作業場トレーラ１３２の右側１４４に駐車している。右患者治療トレーラ１３６の左スライドアウトルーム２３６の左側壁２５２、および、作業場トレーラ１３２の右スライドアウトルーム２３２の右側壁２５４は、介護者が各トレーラ１３２、１３６間を行き来するための通路２７４を形成すべく、互いの位置が概ね揃った開口２７２、２７０をそれぞれ有する。トレーラ２３２、２３４、２３６の床面間のずれを補償するために、例えば、マット等のブリッジ部材（図示せず）を隣接するスライドアウトルーム２３２、２３４、２３６間の通路２７４に利用することもできる。右患者治療トレーラ１３６の左スライドアウトルーム２３６の左側壁２５２、および作業場トレーラ１３２の右スライドアウトルーム２３２の右側壁２５４も本明細書内では隣接する壁と称する。前述のとおり、スライドアウトルーム２３２、２３４、２３６は、連続した床面を提供するために、それぞれトレーラ１３２、１３４、１３６の内部空間と連通する空の内部側を有する。
【００３５】
図３、図４および図７に示すように、左患者治療トレーラ１３４の左側壁１５２は、壁モジュールシステム２００を有する。同様に、右患者治療トレーラ１３６の右側壁１５４は、壁モジュールシステム２００とほぼミラー対称である壁モジュールシステムを有する。また、左および右患者治療トレーラ１３４、１３６の左および右側壁１５２、１５４は、本明細書内ではそれぞれトレーラ１３４、１３６の非隣接壁と称する。各壁モジュールシステム２００は、各トレーラ１３４、１３６の床１６２上に置かれ鉛直上方に延在するように構成されている複数の枠ユニットを含む。これら枠ユニットは、それらの側部を互いに結合して枠組み構造体を構成することもできる。枠ユニットは、関連トレーラ１３４、１３６の床に結合または、関連するトレーラ１３４、１３６の各壁または天井に取り付けることができる。枠ユニットは、所定の高さ（例えば、２フィート（０．６０メートル））および所定の幅（例えば、２フィート（０．６０メートル））を有する、縦および横に離間した複数の壁空間からなる格子を形成する。複数の患者医療モジュールを、壁空間内に配置することにより、患者、介護者および移動救急病院のニーズに合わせて変更可能な壁モジュールシステムが形成される。
【００３６】
壁モジュールシステム２００には、例えば、展開式ベッドモジュール、患者医療または頭部壁モジュール、臨床医療モジュール、衛生区画モジュール、家族区画モジュール等の種々のモジュール構成要素を容易に組み込むことができる。機能要求の変更による空間の使用方法の変更に応じて、利用者は種々のモジュール構成要素を容易に交換および再構成できる。本明細書内で展開式ベッドモジュールは、収納式ベッドまたはマーフィベッドと呼ぶことがある。種々のモジュール構成要素の外面は、該構成要素を取り替えることなく、該構成要素の外見を更新するために変更できる。装飾パネルを使用して病室に色を加えることもできる。このような壁モジュールシステムは本願と同一の出願人に譲渡された出願、PCT／US2005／xxxxxx（attorney docket no. 7175-78000）に開示されており、この出願を本願明細書に援用する。
【００３７】
図７に示すように、例示した各壁モジュールシステム２００は、同一の構成モジュール２０２を５つ含む。例示の実施形態において、各構成モジュール２０２は、壁ユニット１９０、患者診察用照明２０４、時計２０６、患者監視装置２０８、折りたたみ棚２１２付きモニタ画面２１０、ごみ箱２１４、医療用ごみ箱２１６、読書灯２１８、ビューボックス２２０、耳検眼鏡モジュール２２２、複数の備品収納引出し２２４、および複数の備品収納庫２２６等を備える。各壁ユニット１９０は、複数のサービスコネクタ１９２および患者用展開式ベッド１９４を含んでいる。図３に示すように、各構成モジュール２０２は、プライバシーを確保するために患者治療区画１７８の周りに設けた間仕切りカーテン１８０を含んでいる。各展開式ベッド１９４は、持上げ収納又は閉位置と下げ使用又は開位置間で移動可能なデッキ１９６を備える。各患者治療区画１７８は、幅約８フィート（２．４４メートル）で長さ約１０フィート（３．０４８メートル）であり、１つのベッド当たり約８０平方フィート（７．４３平方メートル）の空き床面を提供する。これはAIAの緊急時初期対応指針（Guidelines for Initial Emergency Management）を満たしている。
【００３８】
図４および図７に例示の通り、サービスコネクタ１９２は、デッキ１９６が収納位置にあるときはデッキ１９６の後ろに隠れる。サービスコネクタ１９２は、電気供給用電源コンセント、医療ガス（例えば、酸素、窒素および空気等のうち１つ以上）供給用医療ガスアウトレット、減圧用陰圧アウトレットおよびデータ（例えば、情報データ、音声データおよびビデオデータ等のうち１つ以上）送受信用通信ポートのうち１つ以上を含む。
【００３９】
図５に示すように、左右患者治療トレーラ１３４、１３６は、それぞれ前端壁１５６に沿う壁モジュールシステム３００を有する。壁モジュールシステム３００は、複数の備品収納庫３０２、作業台３０４および自動薬物調剤ステーション３０６を備える。図６に示すように、左右患者治療トレーラ１３４、１３６は、各々後端壁１５８に沿う壁モジュールシステム３１０を有する。壁モジュールシステム３１０は、複数の備品収納庫３１２、緊急用カート３１４、消火器格納箱３１６および複数の引き出し３１８を備える。
【００４０】
作業場トレーラ１３２の第１の実施形態を図８に示す。作業場トレーラ１３２の第２および第３の実施形態１１３２、２１３２をそれぞれ図１０および図１１に示す。図８を参照すると、作業場トレーラ１３２はスライドアウトルーム２３２をその両側１４２、１４４に１つずつ有する。図２に示すように、左患者治療トレーラ１３４の右スライドアウトルーム２３４の右側壁２５４、および、作業場トレーラ１３２の左スライドアウトルーム２３２の左側壁２５２は、介護者がトレーラ１３２、１３４間を行き来するための通路２７４を含むように形成されている。同様に、図２に示すとおり、右患者治療トレーラ１３６の左スライドアウトルーム２３６の左側壁２５２、および、作業場トレーラ１３２の右スライドアウトルーム２３２の右側壁２５４は、介護者がトレーラ１３２、１３６間を行き来するための通路２７４を含むように形成されている。
【００４１】
図８に示すように、左および右スライドアウトルーム２３２はそれぞれ、４つのナース作業ステーション３３０、スライドアウトルーム２３２の前部壁２５６に沿う流し・備品収納庫モジュール３３２（図９に示す）および、スライドアウトルーム２３２の後部壁２５８に沿う流し・備品収納庫モジュール３３２を備える。作業場トレーラ１３２は、作業場トレーラ１３２の前部壁１５６に沿う患者用衛生モジュール３３４と、作業場トレーラ１３２の後部端１４８にある一対の開き戸３３６、格納式担架用傾斜路３３８、および格納式スタッフ用階段３４０とを備える。傾斜路３３８は、路面に対し約３０°傾斜している。図８に示すように、各ナース作業ステーション３３０は、作業台３４２、折りたたみ椅子３４４、複数の備品収納庫３４６、および、複数の引出し３４８を備える。患者用衛生モジュール３３４は、トイレ３５０、流し・備品収納庫モジュール３５２、および、プライバシーカーテン３５４を備える。図９において、各流し・備品収納庫３３２、３５２は、流し３６０、複数の備品収納庫３６２、および、複数の引出し３６４を備える。
【００４２】
作業場トレーラ１３２の第２の実施形態１１３２を図１０に示す。作業場トレーラ１１３２は、スライドアウトルーム１２３２をその両側１４２、１４４に１つずつ有する。各スライドアウトルーム１２３２は、スライドアウトルーム１２３２の前部にある流し・備品収納庫モジュール３７２と、スライドアウトルーム１２３２の後部にある扉３７４および格納式スタッフ用階段３７６とを備える。図９に示すように、流し・備品収納庫モジュール３７２は、流し３６０、複数の備品収納庫３６２、および、複数の引出し３６４を含んでいる。作業場トレーラ１１３２は、６脚の折りたたみ椅子３８２付き作業台３８０と、作業台３８０の各端に複数の備品収納庫３８６を有する作業エリア３８４と、洗面台ユニット３８８と、作業場トレーラ１１３２の前壁に沿った患者用衛生モジュール３９０と、作業場トレーラ１１３２の後部の一対の開き戸３９２、および格納式担架用傾斜路３９４とを備える。傾斜路３９４には、路面に対し約３０°傾斜している。患者用衛生モジュール３９０は、トイレ３９６、流し・備品収納庫モジュール３９８およびプライバシーカーテン４００を含む。
【００４３】
作業場トレーラ１３２の第３の実施形態２１３２を図１１に示す。作業場トレーラ２１３２は、スライドアウトルーム２２３２をその両側１４２、１４４に１つずつ有する。各スライドアウトルーム２１３２は、その前部の流し・備品収納庫モジュール４０２と、その後部の扉４０４および格納式関係者用階段４０６とを備える。図９に示すように、流し・備品収納庫モジュール４０２は、流し３６０、複数の備品収納庫３６２、および、複数の引出し３６４を備える。作業場トレーラ２１３２は、６脚の折りたたみ椅子４１２付き作業台４１０と、作業台４１０の各端に複数の備品収納庫４１６を有する作業エリア４１４と、洗面台ユニット４１８と、作業場トレーラ２１３２の前壁に沿った患者用衛生モジュール４２０と、作業場トレーラ２１３２の後部の一対の開き戸４２２、および格納式担架用傾斜路４２４とを備える。傾斜路４２４には、路面に対し約３０°傾斜している。図１０と異なり、図１１における作業台４１０の両端の作業エリア４１４は、作業台４１０から離間している。作業台および作業場の異なる配置が可能となる。患者用衛生モジュール４２０は、トイレ４２６、流し・備品収納庫モジュール４２８、およびプライバシーカーテン４３０を備える。トレーラ１３２、１３４、１３６および関連するスライドアウトルーム２３２、２３４、２３６内で使用されている種々の構成要素は、モジュールであり、患者、介護者および病院経営者の必要に合わせて組み合わせることができる。これらのモジュールは、床に固定あるいは、必要に応じて移動できるようキャスタを取り付けることができる。
【００４４】
図１２に示すように、ユーティリティ供給トレーラ１３８は、電力、医療用ガス、真空を供給する設備（図示せず）のための場所４４０を備える。ユーティリティ供給トレーラ１３８は、担架用傾斜路（図示せず）、スタッフ用階段（図示せず）、パワーリフト等のうち１つ以上を備えてもよい。図１３に示すように、診断所トレーラ１４０はその左側１４２にスライドアウトルーム２４０を備える。診断所トレーラ１４０の左側壁１５２は部屋受容開口２３９を有し、左スライドアウトルーム２４０は、該開口２３９を通って拡張使用位置と引込収納位置間を移動できるようにトレーラ１３２に結合される。スライドアウトルーム２４０が診断所トレーラ１４０内に引っ込められた時、スライドアウトルーム２４０の外壁はトレーラ１４０の外壁と概ね同一平面上にある。診断所トレーラ１４０は、移動中、担架を保管するための保管場所４７０を備える。
【００４５】
スライドアウトルーム２４０は、その前部の流し・備品収納庫モジュール４５０と、その後部の扉４５２および格納式スタッフ用階段４５４とを備える。診断所トレーラ１４０は、診断装置、撮像装置および検査機器（いずれも図示せず）のための場所４５６と、診断所トレーラ１４０の前壁に沿った患者用衛生モジュール４５８と、診断所トレーラ１４０の後部の一対の開き戸４６０および格納式担架用傾斜路４６２とを備える。傾斜路４６２には、路面に対し約３０°傾斜している。患者用衛生モジュール４５８は、トイレ４６４６、流し・備品収納庫モジュール４６６およびプライバシーカーテン４６８を備える。
【００４６】
図１４から図１７には移動救急病院１３０の４つの他の構成例を示す。移動救急病院１３０の該各構成例は、１０床の病院用ベッドから成るコアユニット５００を１つ又は複数、備える。各コアユニット５００は、１台の作業場トレーラ１３２とその両側に駐車した、各々病院用ベッドを５床まで収容できる２台の患者治療トレーラ１３４、１３６から構成されている。図１４に示す１０病院用ベッド構成の移動救急病院１３０は１つのコアユニット５００を備える。図１５に示す２０病院用ベッド構成の移動救急病院１３０は２つのコアユニット５００を備える。図１６に示す３０病院用ベッド構成の移動救急病院１３０は３つのコアユニット５００を備える。図１７に示す１０病院用ベッド構成の移動救急病院１３０は１つのコアユニット５００を備える。
【００４７】
図１４において、ユーティリティ供給トレーラおよび診断所トレーラ１３８、１４０は作業場トレーラ１３２および患者治療トレーラ１３４、１３６の近くに駐車している。ユーティリティ供給トレーラ１３８はユーティリティを、診断所トレーラ１４０は診断設備を、１台の作業場トレーラ１３２および２台の患者治療トレーラ１３４、１３６から構成される１つのコアユニット５００に提供する。前述のように、被災者のトリアージおよび緊急事態の初期対応のために、各トレーラ１３２、１３４、１３６、１３８、１４０を牽引トラック１０２に掛止して、例えば、ハリケーン、洪水、森林火災、地震等の被災地へ運ぶことができる。
【００４８】
図１５に示すように、ユーティリティ供給トレーラ１３８はユーティリティを、診断所トレーラ１４０は診断設備を、それぞれ１台の作業場トレーラ１３２と２台の患者治療トレーラ１３４、１３６から構成されている２つのコアユニット５００に提供する。図示のとおり、第２のコアユニット５００は、第１のコアユニット５００に対してほぼ直角に駐車している。図１６において、ユーティリティ供給トレーラ１３８はユーティリティを、診断所トレーラ１４０は診断設備を、それぞれ１台の作業場トレーラ１３２と２台の患者治療トレーラ１３４、１３６から構成されている３つのコアユニット５００に提供する。第２のコアユニット５００は、第１のコアユニット５００に対してほぼ直角に、また、第３のコアユニット５００は第１のコアユニット５００の第２のコアユニット５００と反対側に駐車している。
【００４９】
図１７には、既設の病院４８２の救急診療部４８０に隣接して駐車している移動救急病院１３０の第４の構成例を示す。移動救急病院１３０は、病院用ベッド１９４を１０床まで収容する。移動救急病院１３０にユーティリティおよび診断所設備を既設の病院４８２が提供する。
【００５０】
本発明は種々の改良および変更が可能であるが、その特定の実施形態を図面に例示し、詳細に説明した。しかし、本発明をこれら特定の実施形態に限定することを意図したものでなく、本発明は添付の請求の範囲によって規定される本発明の思想および範囲内に入る全ての改良物、等価物、別の形態を含むことは理解されるべきである。
【００５１】
本開示の実施形態の種々の特徴から生じる本発明の複数の利点が存在する。本発明の他の幾つかの実施形態は、記載された特徴の全ては含まないが、しかしこれらの特徴の利点のうち少なくとも幾つかの利点を有する。当業者であれば、本発明の特徴を１つ以上含み、添付の請求の範囲に規定された本発明の思想および範囲内に入る実施形態を容易に考えつくことができる。
【図面の簡単な説明】
【００５２】
【図１】移動救急病院の第１の実施形態を示す概略平面図であり、作業場トレーラと、作業場トレーラの両側に駐車している患者治療トレーラと、該患者治療トレーラおよび作業場トレーラの近くに駐車しているユーティリティ供給トレーラおよび診断所トレーラと、該患者治療トレーラと作業場トレーラの隣接する側壁は、介護者がこれらのトレーラ間を行き来するための通路を形成する互いの位置が概ね揃った開口を有することとを示す。
【図２】移動救急病院の第２の実施形態を示す図１と同様の概略平面図であり、作業場トレーラと、作業場トレーラの両側に駐車している患者治療トレーラと、該作業場トレーラはその両側に拡張可能な部分を有し、該各患者治療トレーラは作業場トレーラに面する側に拡張可能な部分を有することとを示す。
【図３】左患者治療トレーラの左側にある５つの患者治療区画と、その右側にあるスライドアウトルームを示す、図２の左患者治療トレーラの概略平面図である。
【図４】図３の左側患者治療トレーラの中に立つ人が、該左患者治療トレーラの左側に向いて見た立面図であり、閉位置と開位置間を移動可能な展開式ベッドをそれぞれ有する５つの壁ユニットと、開いた状態の１台の展開式ベッドとを示す。
【図５】図３の左側患者治療トレーラの中に立つ人が、該左患者治療トレーラの前部に向いて見た立面図であり、複数の備品収納庫、作業台および自動薬物調剤ステーションを示す。
【図６】図３の患者治療トレーラの中に立つ人が、患者治療トレーラの後部に向いて見た立面図であり、複数の備品収納庫、緊急用カート、消火器格納箱および複数の引き出しを示す。
【図７】図４の壁ユニットの拡大立面図であり、１台が開いた状態で残りが閉じた状態の展開式ベッド、患者診察用照明、時計、監視装置、折りたたみ棚、ごみ箱、医療用ごみ箱、読書灯、ビューボックス、耳検眼鏡、複数の備品収納引き出し、および開いた状態にある展開式ベッドの頭部端近くにある複数のサービスコネクタを示す。
【図８】両側にスライドアウトルームを有する図２に示した作業場トレーラの第１の実施形態の概略平面図であり、該作業場トレーラの左右それぞれ４つのナース作業ステーション、作業場トレーラの前後端の流し・備品収納庫モジュール、および、作業場トレーラの後部の担架用傾斜路を示す。
【図９】図８の流し・備品収納庫モジュールの立面図である。
【図１０】両側にスライドアウトルームを有する図２に示した作業場トレーラの第２の実施形態の概略平面図であり、該作業場トレーラの中央にある作業台と６脚の折りたたみ椅子と、作業台の両端にある、複数の備品収納庫を有する作業エリアと、１つの作業エリア近くにある流し・備品収納庫モジュールと、作業場トレーラの前部にある流し・備品収納庫モジュールと、作業場トレーラの前部にあるトイレを含む患者用衛生設備と、作業場トレーラ後部の担架用傾斜路と、作業場トレーラ後部の担架用傾斜路の両側にある２つのスタッフ用階段とを示す。
【図１１】両側にスライドアウトルームを有する図２の作業場トレーラの第３の実施形態の概略平面図であり、作業場トレーラの中央にある作業台と６脚の折りたたみ椅子と、作業台の両端にある、複数の備品収納庫を有する作業エリアと、１つの作業エリア近くにある流し・備品収納庫モジュールと、作業場トレーラの前部にある流し・備品収納庫モジュールと、作業場トレーラの前部にあるトイレを含む患者用衛生設備と、作業場トレーラ後部の担架用傾斜路と、作業場トレーラ後部の担架用傾斜路の両側にある２つのスタッフ用階段とを示す。
【図１２】図１のユーティリティ供給トレーラの概略平面図であり、中央に電力、医療用ガスおよび真空を供給する設備のための場所を示す。
【図１３】図１の診断所トレーラの概略平面図であり、左側にあるスライドアウトルームと、右側にある複数の再構成可能なモジュールと、該診断所トレーラの前部にある流し・備品収納庫モジュールおよびトイレを含む患者用衛生設備と、中央にある診断装置、撮像装置および検査機器を置くための場所と、診断所トレーラ後部の担架用傾斜路と、診断所トレーラ後部の担架用傾斜路の左側にある１つのスタッフ用階段とを示す。
【図１４】救急病院の構成例を示す図である。
【図１５】救急病院の別の構成例を示す図である。
【図１６】救急病院の別の構成例を示す図である。
【図１７】救急病院の別の構成例を示す図である。
【符号の説明】
【００５３】
３０，１３０  移動救急病院
３２，１３２  作業場トレーラ
３４，３６，１３４，１３６  患者治療トレーラ
３８，１３８  ユーティリティ供給トレーラ
４０，１４０  診断所トレーラ
５２，５４，１５２，１５４  側壁
５６，１５６，２５６  前端壁
５８，１５８，２５８  後端壁
７０，７２  開口
７４，２７４  通路
９０，１９０  壁ユニット
９２，１９２  サービスコネクタ
９４，１９４  展開式ベッド
２３２，２３４  スライドアウトルーム（拡張可能部分）
【図１】
2008501424.tif 000003
【図２】
2008501424.tif 000004
【図３】
2008501424.tif 000005
【図４】
2008501424.tif 000006
【図５】
2008501424.tif 000007
【図６】
2008501424.tif 000008
【図７】
2008501424.tif 000009
【図８】
2008501424.tif 000010
【図９】
2008501424.tif 000011
【図１０】
2008501424.tif 000012
【図１１】
2008501424.tif 000013
【図１２】
2008501424.tif 000014
【図１３】
2008501424.tif 000015
【図１４】
2008501424.tif 000016
【図１５】
2008501424.tif 000017
【図１６】
2008501424.tif 000018
【図１７】
2008501424.tif 000019
【国際調査報告】
2008501424.tif 000020